(57)【要約】【課題】傘の柄にマイナスイオンを発生するセラミックスを直接掌に触れるように取り付け、容易にマイナスイオンの効果を感じられる傘を提供すること。【解決手段】放射性元素を含むセラミックスが傘の柄に取り付けられている。放射性元素は、トリウム及び／又はウラニウムであることが好ましい。放射性元素を含むセラミックスは塗料として柄に塗布されていてもよい。また、放射性元素を含むセラミックスを合成樹脂に練り込み、成型し、成型体が柄の一部を構成するようになっていてもよい。【選択図】図１
0003139902.tif 000002
【実用新案登録請求の範囲】
【請求項１】
放射性元素を含むセラミックスが柄に取り付けられていることを特徴とする傘。
【請求項２】
前記放射性元素がトリウム及び／又はウラニウムであることを特徴とする請求項１に記載の傘。
【請求項３】
前記放射性元素を含むセラミックスが塗料として柄に塗布されていることを特徴とする請求項１又は２に記載の傘。
【請求項４】
前記放射性元素を含むセラミックスを合成樹脂に練り込み、成型し、成型体が柄の一部を構成するようになっていることを特徴とする請求項１又は２に記載の傘。
【請求項５】
前記放射性元素を含むセラミックスが塊状として柄に埋め込まれていることを特徴とする請求項１又は２に記載の傘。
【考案の詳細な説明】
【技術分野】
【０００１】
本考案は傘に関するものであり、特に傘の柄にマイナスイオンを放出するセラミックスが取り付けられている傘の柄に関するものである。
【背景技術】
【０００２】
従来より、マイナスイオンはストレス軽減効果、リラックス効果などにより健康に好影響を与えることが知られている。
【０００３】
マイナスイオンは自然界で発生と消滅を繰り返しているが、近年、工場のばい煙、車の排気ガスの増加などに伴い空気が汚染されることにより空気中にプラスイオンが増加している。肺から吸い込むプラスイオンは、酸素と一緒に血液中に溶け込み血液を酸性に傾け、活性酸素を増加させるため、プラスイオンが増加すると身体がだるく不調を感じることとなる。
【０００４】
このような現代人の置かれている環境を鑑みて、マイナスイオン効果を謳ったエアコンディショナー、空気清浄機、あるいは、肌着、カーテンといった繊維製品等が開発されている。
【特許文献１】実用新案登録第３０８６６５０号
【考案の開示】
【考案が解決しようとする課題】
【０００５】
本考案は傘の柄にマイナスイオンを発生するセラミックスを直接掌に触れるように取り付け、容易にマイナスイオンの効果を感じられる傘を提供することを課題とする。
【課題を解決するための手段】
【０００６】
本考案者らは、傘の柄に放射性元素を含むセラミックスを取り付けることにより、傘を握ったときに直接掌からマイナスイオンを感じることができることを見出し、この知見に基づいて本考案を完成するに至った。
【０００７】
すなわち本考案は、
（１）放射性元素を含むセラミックスが柄に取り付けられていることを特徴とする傘。
（２）前記放射性元素がトリウム及び／又はウラニウムであることを特徴とする（１）に記載の傘。
（３）前記放射性元素を含むセラミックスが塗料として柄に塗布されていることを特徴とする（１）又は（２）に記載の傘。
（４）前記放射性元素を含むセラミックスを合成樹脂に練り込み、成型し、成型体が柄の一部を構成するようになっていることを特徴とする（１）又は（２）に記載の傘。
（５）前記放射性元素を含むセラミックスが塊状として柄に埋め込まれていることを特徴とする（１）又は（２）に記載の傘。
【考案の効果】
【０００８】
本考案の傘は、マイナスイオンを放出するセラミックスを直接掌に触れることができるため、使用者が傘を持ったときに森林効果のようなマイナスイオンの効果を効率よく享受できる。
【考案を実施するための最良の形態】
【０００９】
本考案は、放射性元素を含むセラミックスが柄に取り付けられている傘である。
【００１０】
放射性元素を含むセラミックスは放射性元素を含むセラミックスであれば特に制限はなく、放射性元素を含むセラミックスはいずれも使用できるが、例えば、天然鉱石（天然セラミックス）などを使用することができる。放射性元素を含むセラミックに含まれる放射性元素は、微量であることが好ましい。
【００１１】
放射性元素はトリウム及び／又はウラニウムであることが好ましい。トリウム及びウラニウムは放射性元素であるため、放射性元素を含むセラミック含まれるトリウム及び／又はウラニウムは、微量であることが好ましい。
【００１２】
また、遠赤外線放射性セラミックスを併含させることもできる。遠赤外線放射性セラミックスを併含させることにより、遠赤外線効果を得ることができ、より優れた効果を得ることが可能となる。
【００１３】
粉砕などにより粉末化した放射性元素を含むセラミックス粉末は、合成樹脂バインダーを含む塗料として、傘の柄に塗布してもよい。塗料として放射性元素を含むセラミックス粉末を傘の柄に付着することで、傘の柄からマイナスイオンを放出させることが可能となる。また、当該塗料はマイクロバルーン型の発泡剤を含有することが好ましい。
【００１４】
また、放射性元素を含むセラミックス粉末を合成樹脂に練り込み、成型し、突起として傘の柄に取り付けてもよい。
【００１５】
さらに、放射性元素を含むセラミックス粉末を合成樹脂に練り込み、成型し、傘の柄の一部を構成するようにしてもよい。
【００１６】
放射性元素を含むセラミックスは、塊状として、傘の柄に埋め込んでもよい。塊状として埋め込む場合のセラミックの大きさは、好ましくは１〜８ｍｍ、特に好ましくは４〜８ｍｍである。
【００１７】
また、粉砕などにより粉末化した放射性元素を含むセラミックス粉末を、アクリル樹脂などに練り込み成形し、塊状とし、これを傘の柄に埋め込んでもよい。
【００１８】
放射性元素を含むセラミックスは、直接掌が触れる傘の柄の握り部に取り付けられていることが好ましい。
【実施例】
【００１９】
以下、実施例を挙げて本発明をさらに詳しく説明するが、本発明はこれらの実施例により何ら制限されるものではない。
トリウム（酸化トリウム換算で０．４％）とウラニウム（酸化ウラニウム換算で０．０６％）を含有するＲＳＲ鉱石（低放射性鉱石）を使用して、直径約５ｍｍのセラミックス焼成物を作製した。このセラミックス焼成物を傘の柄の握り部に２個埋め込んだ。
【００２０】
株式会社エコホリスティック社製の簡易型マイナスイオン測定器ＥＢ−１２Ａにより測定したところ、傘の柄の握り部から１ｃｃ当り約１０００〜１２００個のマイナスイオンを放出した。
【００２１】
トリウム（酸化トリウム換算で０．４％）とウラニウム（酸化ウラニウム換算で０．０６％）を含有するＲＳＲ鉱石（低放射性鉱石）の微粉末をアクリル樹脂に１０重量％練り込み成形し、直径約７ｍｍの球体を作製した。この球体を傘の柄の握り部に４個埋め込んだ。
【００２２】
株式会社エコホリスティック社製の簡易型マイナスイオン測定器ＥＢ−１２Ａにより測定したところ１ｃｃ当り約３００〜４００個のマイナスイオンを放出した。
【００２３】
トリウム（酸化トリウム換算で０．４％）とウラニウム（酸化ウラニウム換算で０．０６％）を含有するＲＳＲ鉱石（低放射性鉱石）の微粉末をアクリル樹脂塗料と混合した塗料を作製した。図２に示すように、この塗料を傘の柄に吹きつけ塗装により塗布した。
【００２４】
トリウム（酸化トリウム換算で０．４％）とウラニウム（酸化ウラニウム換算で０．０６％）を含有するＲＳＲ鉱石（低放射性鉱石）の微粉末をアクリル樹脂に１０重量％練り込み、成型し、図３に示すように傘の柄の握り部とした。
【産業上の利用可能性】
【００２５】
本発明の傘は、傘の使用時に掌から直接マイナスイオンを享受でき、健康に好影響を及ぼすことができるため、産業上有用なものである。
【図面の簡単な説明】
【００２６】
【図１】本考案に係る傘の柄の正面図。
【図２】本考案の一実施例を示す正面図。
【図３】本考案の一実施例を示す正面図。
【符号の説明】
【００２７】
１：セラミックス
２：傘の柄
３：塗料
４：成型体
５：木材
【図１】
0003139902.tif 000003
【図２】
0003139902.tif 000004
【図３】
0003139902.tif 000005